(57)【要約】無線通信ネットワークにおいてタイミング更新値を評価して利用することを容易にするシステムおよび方法論が記述される。タイミング調節コマンドが常にある期間内に送られる場合、基地局は、定期的なタイミング更新とは逆に、必要ベースで、モバイル・デバイスへタイミング調節コマンドを送信することができる。しかしながら、モバイル・デバイスは、タイミング調節メッセージをモニタするためにアウェイクし続ける必要があり、これは、電力を多く消費する。一方、定期的な更新によって、モバイル・デバイスは、それ自身のタイミング調節があるかをチェックするためにウェイク・アップし、無いのであれば、スリープ・モードに戻る。提案された方法によって、モバイル・デバイスは、ウェイクすると、タイミング調節コマンドをチェックするために、ある期間スリープすることができる。したがって、モバイル電力消費とダウンリンク・シグナリング・オーバヘッドとが低減される。
2010522505.tif 000002
【特許請求の範囲】
【請求項１】
時間調節値を得る方法であって、
スリープ・モードに入ることと、
予め定めた期間の経過後、前記スリープ・モードからウェイクすることと、
タイミング調節コマンドが発行されたかを判定することと、
発行されたタイミング調節コマンドに少なくとも部分的に基づいてアップリンク・タイミングを調節することと、
前記スリープ・モードに再び入ることと
を備える方法。
【請求項２】
前記予め定めた期間を選択することをさらに備える請求項１に記載の方法。
【請求項３】
アップリンク情報をシグナルすることをさらに備える請求項１に記載の方法。
【請求項４】
前記スリープ・モードからウェイクすると、アップリンク情報をシグナルすることが生じる請求項３に記載の方法。
【請求項５】
前記スリープ・モードに入る前に、アップリンク情報をシグナルすることが生じる請求項３に記載の方法。
【請求項６】
前記スリープ・モードにある間、アップリンク情報をシグナルすることが生じる請求項３に記載の方法。
【請求項７】
前記アップリンク情報は、アップリンク・タイミングを提供する請求項３に記載の方法。
【請求項８】
前記タイミング調節コマンドが発行されたかを判定することは、ダウンリンク物理チャネルを読み取ることを備える請求項１に記載の方法。
【請求項９】
タイマが終了するまでスリープし、前記タイマの終了後ウェイクし、タイミング調節コマンドが発行されたかを評価し、発行されたタイミング調節コマンドに少なくとも部分的に基づいてアップリンク・タイミングを調節することに関連する命令群を保持するメモリと、
前記メモリに接続され、前記メモリに保持された命令群を実行するように構成されたプロセッサと
を備える無線通信装置。
【請求項１０】
前記メモリはさらに、予め定めた期間を選択することに関連する命令群を保持する請求項９に記載の無線通信装置。
【請求項１１】
前記メモリはさらに、アップリング情報をシグナルすることに関連する命令群を保持する請求項９に記載の無線通信装置。
【請求項１２】
前記アップリンク情報は、アップリンク・タイミングを提供する請求項１１に記載の無線通信装置。
【請求項１３】
前記タイミング調節コマンドが発行されたかを判定することに関連する命令群は、ダウンリンク物理チャネルを読み取ることに関連する命令群を備える請求項９に記載の無線通信装置。
【請求項１４】
時間調節値を取得する場合に、節電することを容易にする無線通信装置であって、
スリープ・モードに入る手段と、
予め定めた期間の経過後、前記スリープ・モードからウェイクする手段と、
タイミング調節コマンドが発行されたかを判定する手段と、
発行されたタイミング調節コマンドに少なくとも部分的に基づいてアップリンク・タイミングを調節する手段と、
前記スリープ・モードに再び入る手段と
を備える無線通信装置。
【請求項１５】
前記予め定めた期間を選択する手段をさらに備える請求項１４に記載の無線通信装置。
【請求項１６】
アップリンク情報をシグナルする手段をさらに備える請求項１４に記載の無線通信装置。
【請求項１７】
前記スリープ・モードからウェイクすると、前記アップリンク情報をシグナルすることが生じる請求項１６に記載の無線通信装置。
【請求項１８】
前記スリープ・モードに入る前に、前記アップリンク情報をシグナルすることが生じる請求項１６に記載の無線通信装置。
【請求項１９】
前記スリープ・モードにある間、前記アップリンク情報をシグナルすることが生じる請求項１６に記載の無線通信装置。
【請求項２０】
前記アップリンク情報は、アップリンク・タイミングを提供する請求項１６に記載の無線通信装置。
【請求項２１】
前記タイミング調節コマンドが発行されたかを判定する手段は、ダウンリンク物理チャネルを読み取る手段を備える請求項１４に記載の無線通信装置。
【請求項２２】
コンピュータ・プログラム製品であって、
スリープ・モードに入るためのコードと、
予め定めた期間の経過後、前記スリープ・モードからウェイクするためのコードと、
タイミング調節コマンドが発行されたかを判定するためのコードと、
発行されたタイミング調節コマンドに少なくとも部分的に基づいてアップリンク・タイミングを調節するためのコードと、
前記スリープ・モードに再び入るためのコードと
を備えるコンピュータ読取可能媒体を備えるコンピュータ・プログラム製品。
【請求項２３】
前記予め定めた期間を選択するためのコードをさらに備える請求項２２に記載のコンピュータ・プログラム製品。
【請求項２４】
アップリンク情報をシグナルするためのコードをさらに備える請求項２２に記載のコンピュータ・プログラム製品。
【請求項２５】
前記スリープ・モードからウェイクすると、前記アップリンク情報をシグナルするためのコードが起動する請求項２４に記載のコンピュータ・プログラム製品。
【請求項２６】
前記スリープ・モードに入る前に、前記アップリンク情報をシグナルするためのコードが起動する請求項２４に記載のコンピュータ・プログラム製品。
【請求項２７】
前記スリープ・モードにある間、前記アップリンク情報をシグナルするためのコードが起動する請求項２４に記載のコンピュータ・プログラム製品。
【請求項２８】
前記アップリンク情報は、アップリンク・タイミングを提供する請求項２４に記載のコンピュータ・プログラム製品。
【請求項２９】
前記タイミング調節コマンドが発行されたかを判定するためのコードは、高速物理アクセス・チャネルを読み取るための命令群を備える請求項２２に記載のコンピュータ・プログラム製品。
【請求項３０】
無線通信システムにおける装置であって、
前記装置をスリープ・モードとし、予め定めた期間の経過後、前記装置をスリープ・モードからウェイクさせ、タイミング調節コマンドが発行されたかを判定し、発行されたタイミング調節コマンドに少なくとも部分的に基づいてアップリンク・タイミングを調節するように構成された集積回路
を備えた装置。
【請求項３１】
少なくとも１つのウェイクしているモバイル・デバイスから、アップリンク情報を提供する送信を受信することと、
前記受信した送信に基づいて、少なくとも１つのウェイクしているモバイル・デバイスが、タイミング更新を必要としているかを判定することと、
前記少なくとも１つのウェイクしているモバイル・デバイスのためのタイミング調節値を評価することと、
前記少なくとも１つのウェイクしているモバイル・デバイスへ、タイミング調節値を発行することと
を備える方法。
【請求項３２】
タイミングの差を確認するために、ローカル基準タイミングを、前記受信した送信のタイミングと比較することをさらに備える請求項３１に記載の方法。
【請求項３３】
前記タイミング調節値を評価することは、前記タイミングの差を補償するタイミング調節コマンドを生成することを備える請求項３２に記載の方法。
【請求項３４】
無線通信装置であって、
少なくとも１つのウェイクしているモバイル・デバイスから、アップリンク情報を提供する送信を受信し、前記受信した送信に基づいて、前記少なくとも１つのウェイクしているモバイル・デバイスが、タイミング更新を必要としているかを判定し、前記少なくとも１つのウェイクしているモバイル・デバイスのためのタイミング調節値を評価し、前記少なくとも１つのウェイクしているモバイル・デバイスへタイミング調節コマンドを発行することに関連する命令群を保持するメモリと、
前記メモリに接続され、前記メモリに保持された命令群を実行するように構成されたプロセッサと
を備える無線通信装置。
【請求項３５】
前記メモリはさらに、タイミングの差を確認するために、ローカル基準タイミングを、前記受信した送信のタイミングと比較することに関連する命令群をさらに備える請求項３４に記載の無線通信装置。
【請求項３６】
前記タイミング調節値を評価することに関連する命令群は、前記タイミングの差を補償するタイミング調節コマンドを生成することに関連する命令群を備える請求項３５に記載の無線通信装置。
【請求項３７】
低減されたオーバヘッドでタイミングを更新することを容易にする無線通信装置であって、
少なくとも１つのウェイクしているモバイル・デバイスから、アップリンク情報を提供する送信を受信する手段と、
前記受信した送信に基づいて、前記少なくとも１つのウェイクしているモバイル・デバイスがタイミング更新を必要としているかを判定する手段と、
前記少なくとも１つのウェイクしているモバイル・デバイスのためのタイミング調節値を評価する手段と、
前記少なくとも１つのウェイクしているモバイル・デバイスへ、タイミング調節コマンドを発行する手段と
を備える無線通信装置。
【請求項３８】
タイミングの差を確認するために、ローカル基準タイミングと、前記受信した送信のタイミングとを比較する手段をさらに備える請求項３７に記載の無線通信装置。
【請求項３９】
前記タイミング調節値を評価する手段は、前記タイミングの差を補償するタイミング調節コマンドを生成する手段を備える請求項３８に記載の方法。
【請求項４０】
コンピュータ・プログラム製品であって、
少なくとも１つのウェイクしているモバイル・デバイスから、アップリンク情報を提供する送信を受信するためのコードと、
前記受信した送信に基づいて、前記少なくとも１つのウェイクしているモバイル・デバイスがタイミング更新を必要としているかを判定するためのコードと、
前記少なくとも１つのウェイクしているモバイル・デバイスのためのタイミング調節値を評価するためのコードと、
前記少なくとも１つのウェイクしているモバイル・デバイスへ、タイミング調節コマンドを発行するためのコードと
を備えるコンピュータ読取可能媒体を備えるコンピュータ・プログラム製品。
【請求項４１】
タイミングの差を確認するために、ローカル基準タイミングと、前記受信した送信のタイミングとを比較するためのコードをさらに備える請求項４０に記載のコンピュータ・プログラム製品。
【請求項４２】
前記タイミング調節値を評価するためのコードは、前記タイミングの差を補償するタイミング調節コマンドを生成するための命令群を備える請求項４１に記載のコンピュータ・プログラム製品。
【請求項４３】
無線通信システムにおける装置であって、
少なくとも１つのウェイクしているモバイル・デバイスから、アップリンク情報を提供する送信を受信し、前記受信した送信に基づいて、前記少なくとも１つのウェイクしているモバイル・デバイスがタイミング更新を必要としているかを判定し、前記少なくとも１つのウェイクしているモバイル・デバイスのためのタイミング調節値を評価し、前記少なくとも１つのウェイクしているモバイル・デバイスへタイミング調節コマンドを発行するように構成された集積回路
を備える装置。
【発明の詳細な説明】
【関連出願に対する相互参照】
【０００１】
この出願は、２００７年３月１９日に出願され "UL TIMING CONTROL" と題された米国特許仮出願６０／８９５，６８５号の利益を主張する。上記出願の全体は、参照によって本明細書に組み込まれる。
【技術分野】
【０００２】
以下の記述は、一般に、無線通信に関し、さらに詳しくは、アップリンク・タイミング制御に関する。
【背景技術】
【０００３】
無線通信システムは、例えば、音声、データ等のような様々なタイプの通信コンテンツを提供するために広く展開している。一般的な無線通信システムは、利用可能なシステム・リソース（例えば帯域幅、送信電力等）を共有することにより多数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含みうる。さらに、これらシステムは、第３世代パートナシップ計画（３ＧＰＰ）、３ＧＰＰロング・ターム・イボリューション（ＬＴＥ）等のような仕様に準拠しうる。
【０００４】
通常、無線多元接続通信システムは、同時に多数のモバイル・デバイスのための通信をサポートすることができる。おのおののモバイル・デバイスは順方向リンクおよび逆方向リンクによって１または複数の基地局と通信することができる。順方向リンク（すなわちダウンリンク）は、基地局からモバイル・デバイスへの通信リンクを称し、逆方向リンク（すなわちアップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または、基地局が、他の基地局と）通信することができる。
【０００５】
ＭＩＭＯシステムは、データ送信のために、一般に複数（ＮＴ個の）送信アンテナと、複数（ＮＲ個の）受信アンテナとを利用する。ＮＴ個の送信アンテナおよびＮＲ個の受信アンテナによって形成されるＭＩＭＯチャネルは、空間チャネルと称されるＮＳ個の独立チャネルへ分解されうる。ここで、ＮＳ≦｛ＮＴ，ＮＲ｝である。ＮＳ個の独立したチャネルのおのおのはディメンションに相当する。さらに、複数の送信アンテナおよび受信アンテナによってさらなるディメンションが生成される場合、ＭＩＭＯシステムは、改善されたパフォーマンス（例えば、高められたスペクトル効率、より高いスループット、および／または、より向上した信頼性）を提供することができる。
【０００６】
ＭＩＭＯシステムは、共通物理媒体によって順方向リンク通信および逆方向リンク通信を分割する様々な二重化技術をサポートする。例えば、周波数分割二重化（ＦＤＤ）システムは、順方向リンク通信および逆方向リンク通信のために異なる周波数領域を利用することができる。さらに、時分割二重化（ＴＤＤ）システムでは、順方向リンク通信と逆方向リンク通信とが、共通の周波数領域を利用することができる。しかしながら、従来の技術は、チャネル情報に関する制限されたフィードバックしか提供しないか、あるいは、フィードバックを提供しない。
【発明の概要】
【０００７】
以下は、そのような実施形態の基本的な理解を提供するために、１または複数の実施形態の簡略化された概要を示す。この概要は、考えられる全ての実施形態の広範な概観ではなく、全ての実施形態の重要要素や決定的要素を特定することでも、任意または全ての実施形態の範囲を線引きすることでもないことが意図される。その唯一の目的は、１または複数の実施形態の幾つかの概念を、後に示されるより詳細な説明の前置きとして簡単な形式で示すことである。
【０００８】
局面によれば、本明細書では、タイミング調節を得る方法が記述される。この方法は、スリープ・モードに入ることを備えうる。さらに、この方法は、予め定めた期間の経過後、スリープ・モードからウェイクすることを含む。さらに、この方法は、タイミング調節コマンドが発行するかを判定することを備える。この方法はまた、発行されたタイミング調節コマンドに少なくとも部分的に基づいてアップリンク・タイミングを調節することと、スリープ・モードに再び入ることとを備えうる。
【０００９】
他の局面は、タイマが終了するまでスリープし、タイマの終了後にウェイクし、タイミング調節コマンドが発行するかを評価し、発行されたコマンドに少なくとも部分的に基づいてアップリンク・タイミングを調節することに関連する命令群を保持するメモリを備える無線通信装置に関する。この無線通信装置はさらに、メモリに接続されメモリに保持された命令群を実行するように構成されたプロセッサをも含みうる。
【００１０】
また別の局面は、タイミング調節を取得する場合に節電を容易にする無線通信装置に関する。この装置は、スリープ・モードに入る手段を含みうる。この装置はさらに、予め定めた期間の経過後、スリープ・モードからウェイクする手段を備える。さらに、この無線通信装置は、タイミング調節コマンドが発行するかを判定する手段を含みうる。さらに、この装置は、発行されたタイミング調節コマンドに少なくとも部分的に基づいてアップリンク・タイミングを調節する手段と、スリープ・モードに再び入る手段とを備える。
【００１１】
また別の局面は、スリープ・モードに入り、予め定めた期間の経過後にスリープ・モードからウェイクするための、格納された機械実行可能な命令群を有する機械読取可能媒体に関する。さらに、この機械読取可能媒体は、タイミング調節コマンドが発行するかを判定するための命令群を備えうる。さらに、この機械読取可能媒体は、発行されたタイミング調節コマンドに少なくとも部分的に基づいてアップリンク・タイミングを調節し、スリープ・モードに再び入るための命令群を含みうる。
【００１２】
別の局面によれば、装置は、無線通信システムにおける集積回路を備えうる。この集積回路は、装置をスリープ・モードにするように構成されうる。この集積回路はさらに、予め定めた期間の経過後、装置をスリープ・モードからウェイクさせるように構成されうる。さらに、この集積回路は、タイミング調節コマンドが発行するかを判定するように構成されうる。さらに、この集積回路は、発行されたタイミング調節コマンドに少なくとも部分的に基づいてアップリンク・タイミングを調節するように構成されうる。
【００１３】
また別の局面によれば、本明細書において、タイミングを更新する方法が記載される。この方法は、少なくとも１つのウェイクしているモバイル・デバイスから、アップリンク情報を提供する送信を受信することを含みうる。この方法はさらに、この受信した送信に基づいて、少なくとも１つのウェイクしているモバイル・デバイスが、タイミング更新を必要としているかを判定することを含みうる。さらに、この方法は、少なくとも１つのウェイクしているモバイル・デバイスのために、タイミング調節値を評価することを備えうる。この方法はさらに、少なくとも１つのウェイクしているモバイル・デバイスへ、タイミング調節コマンドを発行することを含む。
【００１４】
本明細書に記載された他の局面は、メモリを含む無線通信装置に関する。このメモリは、少なくとも１つのウェイクしているモバイル・デバイスから、アップリンク情報を提供する送信を受信し、この受信した送信に基づいて、少なくとも１つのウェイクしているモバイル・デバイスがタイミング更新を必要としているかを判定し、少なくとも１つのウェイクしているモバイル・デバイスのためのタイミング調節値を評価し、少なくとも１つのウェイクしているモバイル・デバイスへタイミング調節コマンドを発行することに関連する命令群を保持しうる。さらに、この無線通信装置は、メモリに接続されたメモリに保持されたこれら命令群を実行するように構成されたプロセッサを含みうる。
【００１５】
さらに別の局面は、低減されたオーバヘッドを用いてタイミングを交信することを容易にする無線通信装置に関する。この装置は、少なくとも１つのウェイクしているモバイル・デバイスから、アップリンク情報を提供する送信を受信する手段を備えうる。この装置はまた、この受信した送信に基づいて、少なくとも１つのウェイクしているモバイル・デバイスが、タイミング更新を必要としているかを判定する手段を備えうる。さらに、この装置は、少なくとも１つのウェイクしているモバイル・デバイスのためのタイミング調節値を評価する手段を含みうる。さらに、この装置はまた、少なくとも１つのウェイクしているモバイル・デバイスへ、タイミング調節コマンドを発行する手段を含みうる。
【００１６】
さらに別の局面は、少なくとも１つのウェイクしているモバイル・デバイスから、アップリンク情報を提供する送信を受信するための、格納された機械実行可能な命令群を有する機械読取可能媒体に関する。この機械読取可能媒体はさらに、この受信した送信に基づいて、少なくとも１つのウェイクしているモバイル・デバイスがタイミング更新を必要としているかを判定することに関連する命令群を含みうる。さらに、この機械読取可能媒体は、少なくとも１つのウェイクしているモバイル・デバイスのためのタイミング調節値を評価するための命令群を備える。この機械読取可能媒体はまた、少なくとも１つのウェイクしているモバイル・デバイスへタイミング調節コマンドを発行するための命令群を含みうる。
【００１７】
本明細書に記載されたさらなる局面は、集積回路を備える無線通信システムにおける装置に関する。この集積回路は、少なくとも１つのウェイクしているモバイル・デバイスから、アップリンク情報を提供する送信を受信するように構成されうる。この集積回路はさらに、この受信した送信に基づいて、少なくとも１つのウェイクしているモバイル・デバイスがタイミング更新を必要としているかを判定するように構成されうる。さらに、この集積回路は、少なくとも１つのウェイクしているモバイル・デバイスのためのタイミング調節値を評価し、少なくとも１つのウェイクしているモバイル・デバイスへタイミング調節コマンドを発行するように構成されうる。
【００１８】
前述した目的および関連する目的を達成するために、１または複数の実施形態は、後に十分に記載され特に請求項において指摘される特徴を備えている。以下の記載および添付図面は、１または複数の実施形態のある例示的な局面を詳細に述べている。しかしながら、これらの局面は、様々な実施形態の原理が適用され、記載された実施形態がそのような全ての局面およびそれらの等価物を含むことが意図されている様々な方法のうちの僅かを示すに過ぎない。
【図面の簡単な説明】
【００１９】
【図１】図１は、本明細書で述べられた様々な局面に従った無線通信システムの実例である。
【図２】図２は、無線通信環境において適用するための通信装置の実例である。
【図３】図３は、アップリンク・タイミング制御を容易にする無線通信システムの実例である。
【図４】図４は、主題とする開示の局面にしたがうセクタの実例である。
【図５】図５は、無線通信ネットワークにおいてタイミング更新を提供することを容易にする方法論の実例である。
【図６】図６は、タイミング更新を得ている間、節電を容易にする方法論の実例である。
【図７】図７は、タイミング調節値を取得し利用することを容易にするモバイル・デバイスの実例である。
【図８】図８は、アップリンク・チャネルのためのタイミング更新値を評価し、送信し、受信することを容易にするシステムの実例である。
【図９】図９は、本明細書に記述された様々なシステムおよび方法と共に使用することができる無線ネットワーク環境の実例である。
【図１０】図１０は、アップリンク・タイミングを制御するためにタイミング調節値を利用するシステムの実例である。
【図１１】図１１は、タイミング調節値を評価して送信するシステムの実例である。
【発明を実施するための形態】
【００２０】
様々な実施形態が、同一要素を参照するために全体を通じて同一符番が用いられている図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明確である。他の事例では、周知の構成およびデバイスが、１または複数の実施形態の説明を容易にするために、ブロック図形式で示される。
【００２１】
本願で使用されるように、用語「構成要素」、「モジュール」、「システム」等は、ハードウェア、ファームウェア、ハードウェアとソフトウェアとの組み合わせ、ソフトウェア、または実行中のソフトウェア、ファームウェア、ミドルウェア、マイクロコード、および／または、これらの任意の組み合わせであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１または複数のコンピュータに局在化されるか、および／または、２またはそれ以上のコンピュータに分散されうる。さらに、これらの構成要素は、様々なデータ構造を格納して有する様々なコンピュータ読取可能媒体から実行可能である。これら構成要素は、例えば１または複数のデータ（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータ）のパケットを有する信号にしたがって、ローカル処理および／またはリモート処理によって通信することができる。
【００２２】
さらに、本明細書では様々な実施形態が、モバイル・デバイスに関連して記載される。モバイル・デバイスは、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、またはユーザ機器（ＵＥ）とも称されうる。モバイル・デバイスは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピュータ・デバイス、あるいは、無線モデムに接続されたその他の処理デバイスでありうる。さらに、本明細書では、様々な実施形態が、基地局に関して説明される。基地局は、モバイル・デバイスと通信するために利用され、アクセス・ポイント、ノードＢ、またはその他幾つかの専門用語でも称されうる。
【００２３】
さらに、本明細書に記載の様々な局面または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、あるいは媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストライプ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記述された様々な記憶媒体は、情報を格納するための１または複数のデバイスおよび／またはその他の機械読取可能媒体を示すことができる。用語「機械読取可能媒体」は、限定することなく、命令（群）および／またはデータを格納、包含、および／または搬送することが可能な無線チャネルおよびその他様々な媒体を含みうる。
【００２４】
図１に示すように、無線通信システム１００が、本明細書に示された様々な実施形態に従って例示される。システム１００は、複数のアンテナ・グループを含むことができる基地局１０２を備える。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナが例示されているが、おのおののグループについて、それよりも多いあるいはそれよりも少ないアンテナが適用されうる。基地局１０２はさらに、送信機チェーンおよび受信機チェーンを含みうる。それらのおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２５】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６およびモバイル・デバイス１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってモバイル・デバイス１１６へ情報を送信し、逆方向リンク１２０によってモバイル・デバイス１１６から情報を受信する。さらに、モバイル・デバイス１２２はアンテナ１０４およびアンテナ１０６と通信している。ここで、アンテナ１０４およびアンテナ１０６は、順方向リンク１２４でモバイル・デバイス１２２へ情報を送信し、逆方向リンク１２６でモバイル・デバイス１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２６】
通信するように指定された領域および／またはアンテナのグループのおのおのは、基地局１０２のセクタと称されうる。例えば、アンテナ・グループは、基地局１０２によってカバーされた領域のセクタ内のモバイル・デバイスに通信するように設計されうる。順方向リンク１１８および順方向リンク１２４による通信では、基地局１０２の送信アンテナは、モバイル・デバイス１１６およびモバイル・デバイス１２２のための順方向リンク１１８および順方向リンク１２４の信号対雑音比を改善するためにビームフォーミングを利用することができる。また、基地局１０２が、関連する有効範囲にランダムに散在したモバイル・デバイス１１６、１１２に送信するためにビームフォーミングを利用している間、近隣セル内のモバイル・デバイスは、全てのモバイル・デバイスに対して単一アンテナによって送信している基地局に比べて、少ない干渉しか被らない。さらに、モバイル・デバイス１１６およびモバイル・デバイス１２２は、図示するように、ピア・トゥ・ピアまたはアド・ホック技術を用いて互いに直接的に通信することができる。
【００２７】
図２では、無線通信環境内で適用するための通信装置２００が例示されている。この通信装置２００は、基地局あるいはその一部、モバイル・デバイスあるいはその一部、あるいは無線通信環境で送信されたデータを受信する実質的に任意の通信装置でありうる。通信システムでは、送信機と受信機との間の通信タイミングは、調整を要する。したがって、通信装置２００は、タイミング同期を維持するために、以下に述べるような構成要素を適用する。通信装置２００は、通信装置２００を予め定めた期間、スリープ・モードに保つスリープ・タイマ２０２と、タイミング調節コマンドが発行されたかを判定するタイミング調節受信機２０４と、タイミング調節コマンドが発行されると、通信装置２００の通信タイミングを更新するために、タイミング調節コマンドを実行するタイミング・アジャスタ２０６とを含みうる。通信デバイス２００は、タイミング調節コマンドを受信し、タイミング調節コマンドを求めてチャネルを連続的にモニタすることなく、タイミング調節コマンドにしたがってタイミングを調節する。したがって、通信デバイス２００は、節電することができる。
【００２８】
一例によれば、通信装置２００は、タイミング更新を必要としうる。これは、例えば、通信装置２００が通信セクタまたはセル内を移動すること、通信装置２００と通信している別のデバイスがセクタを横切ること、伝搬条件が変化すること等によって生じる。スリープ・タイマ２０２によってモニタされている通信装置２００は、スリープ・モードに入ることができる。スリープ・タイマ２０２は、予め定めた時間が経過するまで通信装置２００をスリープ・モードに保つ。例示によれば、スリープ・タイマ２０２は、予め定めた時間の経過後に終了するタイマ・メカニズムを保持しうる。局面によれば、このタイマ・メカニズムは、通信装置２００がスリープ・モードに入った場合に起動する（例えば、クロックをスタートさせる）ことができる。１つの実施形態では、この予め定めた期間は、秒のオーダでありうる。スリープ・タイマ２０２が終了すると、通信装置はウェイクする。
【００２９】
ウェイクすると、タイミング調節受信機２０４が、タイミング調節コマンドが発行されたかをチェックする。例えば、タイミング調節受信機２０４は、タイミング調節コマンドが送信されたかを判定するために、ダウンリンク物理チャネルを読み取ることができる。タイミング調節コマンドが発行されていないことをタイミング調節受信機２０４が確認すると、スリープ・タイマ２０２が再起動し、予め定めた時間によって定義された別の期間にわたって、通信装置２００をスリープ・モードに戻す。タイミング調節受信機２０４が、タイミング調節コマンドを発見すると、このコマンドはタイミング・アジャスタ２０６へ転送される。タイミング・アジャスタ２０６は、タイミング調節コマンドに基づいて、通信リンクのタイミングを調節しうる。例えば、タイミング・アジャスタ２０６は、モバイル・デバイスのアップリンク・タイミングを更新することができる。調節後、通信デバイス２００は、スリープ・モードに再び入るか、あるいは、他のデータ送信を続ける。
【００３０】
さらに、図示されていないが、通信装置２００は、スリープ・タイマを維持すること、タイミング調節コマンドをチェックすること、タイミング調節コマンドを受信すること、タイミング調節コマンドに基づいてタイミング調節を行うこと等に関する命令群を保持するメモリを含みうることが認識されるべきである。さらに、通信装置２００は、命令群（メモリ内に保持された命令群、個別のソースから取得された命令群、等）を実行することに関連して利用されるプロセッサを含みうる。
【００３１】
次に図３に示すように、送信オーバヘッドを低減しかつ節電しながら、通信パーティ間のタイミング制御を提供しうる無線通信システム３００が例示されている。このシステム３００は、モバイル・デバイス３０４（および／または、（図示しない）任意の数の別のモバイル・デバイス）と通信する基地局３０２を含む。基地局３０２は、順方向リンク・チャネルによってモバイル・デバイス３０４に情報を送信することができる。基地局３０２はさらに、逆方向リンク・チャネルによってモバイル・デバイス３０４から情報を受信することができる。さらに、システム３００は、ＭＩＭＯシステムでありうる。それに加えて、このシステム３００は、ＯＦＤＭＡ無線ネットワーク、３ＧＰＰ  ＬＴＥ無線ネットワーク等で動作することができる。また、基地局３０２内の図示および後述される構成要素および機能は、モバイル・デバイス３０４内にも同様に存在することができ、一例では、図示する構成は、説明を簡単にするために、これらの構成要素を省略している。
【００３２】
基地局３０２は、モバイル・デバイス３０４がタイミング更新を必要とするかを判定するタイミング調節判定部３０６と、必要なタイミング更新量を確認するタイミング調節評価部３０８と、タイミング調節コマンドを発行するタイミング調節送信機３１０とを含む。モバイル・デバイス３０４は、モバイル・デバイス３０４を予め定めた期間、スリープ・モードに保つスリープ・タイマ３１２と、例えば、基地局３０２によって、タイミング調節コマンドが発行されたかを判定するタイミング調節受信機３１８と、タイミング調節コマンドが発行されると、モバイル・デバイス３０４のアップリンク・タイミングを調節するためにタイミング調節コマンドを実行するタイミング・アジャスタ３２０とを含む。モバイル・デバイス３０４は、それに加えて、スリープ・タイマ３１２によって適用される期間を選択する期間コンフィギャラ３１２と、アップリンク・チャネルで基地局３０２へ信号を送信するアップリンク・シグナラ３１６とを含みうる。
【００３３】
一例によれば、基地局３０２は、モバイル・デバイス３０４およびその他のモバイル・デバイス（図示せず）との同期を維持することができる。イボルブドＵＭＴＳ地上ラジオ・アクセス（Ｅ−ＵＴＲＡ）では、例えばモバイル・デバイス３０４のようなモバイル・デバイス間の送信、あるいは、モバイル・デバイス３０４と基地局３０２との間の送信は、時間を合わせる必要がある。時間を合わせることによって、モバイル・デバイス間の直交性を維持することが容易になり、干渉を低減する。例えばモバイル・デバイス３０４のようなモバイル・デバイスは、基地局３０２によってサービス提供されるセルまたはセクタ内を移動することができる。モバイル・デバイス３０４と基地局３０２との間の距離が変化すると、直交性を維持するために、モバイル・デバイス３０４のアップリンク・タイミングの更新を必要とし得る。例示によれば、時速３５０キロメートルで基地局へ向かっている、あるいは基地局から離れているモバイル・デバイスは、毎秒０．６マイクロ秒の割合で、アップリンク・タイミング同期における変化をもたらしうる。純粋な距離変化に加えて、相対的な移動によっても、モバイル・デバイスと基地局との間の伝播条件が変わりうる。
【００３４】
一般に、基地局は、同期を維持するための必要ベースのメカニズムであるか、あるいは、定期的なメカニズムを適用しうる。この必要ベースのメカニズムを用いて、基地局は、調節が必要であると判定すると、モバイル・デバイスへタイミング調節値を送信する。この定期的なメカニズムを用いて、基地局は、アクティブなモバイル・デバイスの全てに対して、調節値を定期的に送る。アクティブなモバイル・デバイスは、データをアクティブに送っているモバイル・デバイスを含む。アクティブなモバイル・デバイスはまた、全くアクティブではない（例えば、スリープしているか、そうでなければ、システムへのアクセスを保持しているもののデータを送っていない）モバイル・デバイスでもありうることが認識されるべきである。
【００３５】
スリープ・タイマ３１２によってモニタされているモバイル・デバイス３０４は、スリープ・モードに入ることができる。スリープ・タイマ３１２は、予め定めた時間が経過するまで、モバイル・デバイスをスリープ・モードに保つ。例示によれば、スリープ・タイマ３１２は、予め定めた時間の経過後に終了するタイマ・メカニズムを保持しうる。局面によれば、このタイマ・メカニズムは、モバイル・デバイスがスリープ・モードに入った場合に起動する（例えば、クロックをスタートさせる）。期間コンフィギャラ３１４は、スリープ・タイマ３１２を設定するために適用される予め定めた時間を選択しうる。１つの局面によれば、期間コンフィギャラ３１４は、従来の定期的な更新メカニズムにおいて基地局で使用されている期間よりも短い期間を選択することができる。この選択された期間あるいは予め定めた期間は、選択された期間の間、モバイル・デバイス３０４をスリープ・モードに保つためにスリープ・タイマ３１２によって適用される。
【００３６】
ウェイクすると、アップリンク・シグナラ３１６は、基地局３０２へ信号を送信することができる。１つの実施形態では、この信号は、アップリンク情報を含みうる。タイミング調節判定部３０６は、アップリンク・シグナラ３１６によって送られた信号に基づいて、モバイル・デバイス３０４がタイミング更新を必要としているかを判定しうる。実例によれば、タイミング調節判定部３０６は、基地局３０２のローカルなタイミングと、この信号で受信されたタイミングとの間の差分を測定しうる。タイミング調節判定部３０６によって十分な差分が発見されると、タイミング調節評価部３０８は、適切な更新値を確認することができる。局面によれば、タイミング調節評価部３０８は、この信号で受信されたタイミングを、基地局３０２のローカルなタイミングに同期させるために必要な任意の値でありうる。タイミング調節送信機３１０は、タイミング調節評価部３１０によって評価された値に基づいて、タイミング調節コマンドを準備する。タイミング調節送信機３１０は、このタイミング調節コマンドをモバイル・デバイス３０４へ送ることができる。例えば、タイミング調節送信機３１０は、このコマンドを、ＦＰＡＣＨチャネルで送ることができる。
【００３７】
タイミング調節受信機３１８は、タイミング調節コマンドが発行されたかをチェックする。例えば、タイミング調節受信機３１８は、タイミング調節コマンドが基地局３０２によって送信されたかを判定するために、ダウンリンク物理チャネルを読み取ることができる。タイミング調節コマンドが発行されていないとタイミング調節受信機３１８が確認すると、スリープ・タイマ３１２が再起動し、モバイル・デバイス３０４を、予め定めた期間によって定められたもう１つの期間の間スリープ・モードに戻す。タイミング調節受信機３１８がタイミング調節コマンドを発見すると、このコマンドは、タイミング・アジャスタ３２０へ転送されうる。タイミング・アジャスタ３２０は、タイミング調節コマンドに基づいて、アップリンクのタイミングを調節しうる。１つの局面によれば、モバイル・デバイス３０４は、スリープ・モードに再び入るか、あるいは、タイミング更新値にしたがって、他のデータ送信を進める。
【００３８】
アップリンク情報をともなうアップリンク信号が、期間コンフィギャラ３１４によって確立された予め定めた期間内に少なくとも一度送信されている限り、アップリング・シグナラ３１６は、ウェイク時以外の任意の時間においてそのような信号を送信できることが認識されるべきである。例えば、アップリンク・シグナラ３１６は、情報を送信するために、タイマの途中で、モバイル・デバイス３０４を一時的にアウェイクすることができる。これによって、基地局３０２は、さらに、更新が必要であるかを判定することが可能となる。さらに、アップリンク・シグナラ３１６は、スリープ・モードに入る前に、信号を送信することができる。
【００３９】
図４に示すように、主題とする開示の１または複数の局面にしたがう無線通信システム４００が例示される。このシステム４００は、無線信号を受信し、他の基地局（図示せず）、あるいは、例えば端末４０６および端末４０８のような１または複数の端末へ送信、反復等を行うアクセス・ポイントまたは基地局４０２を備えうる。基地局４０２は、例えば１つが各送信アンテナおよび受信アンテナのためのものである複数の送信機チェーンおよび受信機チェーンを備える。また、これらおのおのは、信号送信および受信に関連する複数の構成要素（例えば、プロセッサ、変調器、マルチプレクサ、復調器、デマルチプレクサ、アンテナ等）を備えうる。モバイル・デバイス４０６、４０８は、例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信４００を介して通信するためのその他任意の適切なデバイスでありうる。さらに、モバイル・デバイス４０６、４０８は、例えば、複数入力複数出力（ＭＩＭＯ）システムのために使用されるような、１または複数の送信機チェーンおよび受信機チェーンを備えうる。各送信機チェーンおよび受信機チェーンは、当業者によって認識されるであろうが、信号の送信および受信に関連する複数の構成要素（例えば、プロセッサ、変調器、マルチプレクサ、復調器、デマルチプレクサ、アンテナ等）を備えうる。
【００４０】
図４で示されるように、基地局４０２は、特定の地理的領域４０４に通信有効範囲を提供する。用語「セル」は、文脈に依存して、基地局および／またはその有効範囲領域を称しうる。システム容量を改善するために、アクセス・ポイント有効範囲領域は、多くのより小さな領域へ分割されうる。おのおののより小さな領域は、それぞれの基地トランシーバ・サブシステム（ＢＴＳ）によってサービス提供される。用語「セクタ」は、文脈に依存して、ＢＴＳおよび／またはその有効範囲領域を称しうる。セクタ化されたセルの場合、セルの全てのセクタの基地トランシーバ・サブシステムは一般に、そのセルのアクセス・ポイント内にともに存在する。
【００４１】
例によれば、例えばモバイル・デバイス４０６およびモバイル・デバイス４０８のようなモバイル・デバイスは、基地局４０２によってサービス提供される地理的な領域４０４をカバーするセクタまたはセルを検出することができる。モバイル・デバイスは、同期チャネル（ＳＣＨ）によって基地局４０２のタイミングおよび同期を得る。その後、モバイル・デバイスは、システム情報を獲得するために、ブロードキャスト・チャネル（ＢＣＨ）にアクセスし、復調することができる。例示によれば、システム情報は、モバイル・デバイスがシステム４００にどのようにアクセスしてシステム４００とどのようにインラクトするかを定義するパラメータのセットを含みうる。モバイル・デバイスは、ランダム・アクセス・チャネル（ＲＡＣＨ）でのアクセス・プローブを送信することができる。基地局４０２は、モバイル・デバイスによって送られたアクセス問題のアップリンク・チャネルで受信されたタイミングと、ローカル基準タイミングとの間の差分を測定しうる。基地局４０２は、アクセス・プローブを正しく検出した後に、逆方向リンク・チャネルまたは順方向リンク・チャネルでモバイル・デバイスへアクセス許可メッセージを送信する。アクセス許可メッセージは、アップリンク・リソース割当および／またはアップリンク・タイミング調節値をモバイル・デバイスへ伝送しうる。
【００４２】
最初のタイミング調節の後、モバイル・デバイスは、同期を維持するために、さらなる更新を必要とし得る。Ｅ−ＵＴＲＡでは、モバイル・デバイス間のアップリンク送信は、モバイル・デバイス間の直交性を維持するために揃える必要がある。図４の例によれば、モバイル・デバイス４０６は、基地局４０２に対して移動していないモバイル・デバイス、僅かな距離しか移動しないモバイル・デバイス、および／または、基地局４０２に対して低速で移動するモバイル・デバイスでありうる。さらに、モバイル・デバイス４０８は、基地局４０２に対して頻繁に移動する移動中のモバイル・デバイス、および／または、高速で移動しているモバイル・デバイスでありうる。基地局４０２は、モバイル・デバイス４０６およびモバイル・デバイス４０８のタイミングを更新するために、必要ベースの更新メカニズムであるか、定期的な更新メカニズムかのうちの少なくとも１つを適用しうる。必要ベースの更新メカニズムは、モバイル・デバイスがタイミング更新を必要としていると基地局４０２が判定した場合にのみ、モバイル・デバイスへタイミング調節値を送ることによって、オーバヘッドを低減する。しかしながら、モバイル・デバイス４０６およびモバイル・デバイス４０８は一般に、タイミング更新を含むメッセージを受信するために、実質的に常にアウェイクし、タイミング調節のために順方向リンク・チャネルをモニタする必要がある。したがって、モバイル・デバイス４０６およびモバイル・デバイス４０８は、必要ベースの更新メカニズムでは、より電力を消費する。
【００４３】
定期的な更新メカニズムは、オーバヘッドが増加することを犠牲にして、モバイル・デバイス４０６およびモバイル・デバイス４０８部における電力消費量を低減することができる。基地局４０２は、各周期毎に、全てのモバイル・デバイスへタイミング更新値を送信しうる。しかしながら、効果的にするために、この周期は、例えばモバイル・デバイス４０８のような高速なモバイル・デバイスによって定められる。モバイル・デバイス４０８は、モバイル・デバイス４０６よりもより頻繁なタイミング更新を必要とする。しかしながら、基地局４０２は、モバイル・デバイス４０８への更新と同じ頻度で、モバイル・デバイス４０６へ更新値を送信する。したがって、オーバヘッドが増加する。１つの局面によれば、基地局４０２は、オーバヘッドを低減するために、修正された必要ベースで、タイミング調節値を送信しうる。さらに、モバイル・デバイス４０６およびモバイル・デバイス４０８は、節電するためにスリープ・モードに入り、タイミング調節をチェックするために定期的にアウェイクしうる。
【００４４】
本明細書に記載の技術は、セクタ化されていないセルを用いるシステムと同様、セクタ化されたセルを用いるシステム４００のためにも使用されうる。明確にするために、以下の記載は、セクタ化されたセルを用いるシステムのためのものである。用語「アクセス・ポイント」および「基地局」は、一般に、セルにサービス提供する固定局のみならず、セクタにサービス提供する固定局についても使用される。用語「端末」、「ユーザ」、および「ユーザ機器」は、置換可能に使用され、用語「セクタ」、「アクセス・ポイント」、および「基地局」もまた、置換可能に使用される。サービス提供しているアクセス・ポイント／セクタは、端末が通信するアクセス・ポイント／セクタである。近隣アクセス・ポイント／セクタは、端末が通信していないアクセス・ポイント／セクタである。
【００４５】
図５乃至図６に示すように、オーバヘッドおよび電力消費を低減しながら、アップリンク・タイミング制御を提供することに関する方法論が例示される。説明を単純にする目的のために、これら方法論は、一連の動作として図示および説明されているが、幾つかの動作は、１または複数の実施形態にしたがって、本明細書に図示され説明されたものとは異なる順序および／または他の動作と同時に起こりうるので、これら方法論は、この動作順に限定されないことが理解され認識されるべきである。例えば、当業者は、方法論が、例えば状態図のような相互関連する一連の状態またはイベントとしても表すことができることを理解および認識するであろう。さらに、１または複数の実施形態にしたがって方法論を実施するために、必ずしも例示された全ての動作が必要とされる訳ではない。
【００４６】
図５に示すように、無線通信ネットワークにおいてタイミング更新を提供することを容易にする方法論５００が例示されている。局面によれば、この方法論５００は、無線通信環境内における基地局によって実行されうる。参照番号５０２において、アップリンク情報が受信される。例えば、アップリンク情報は、スリープ・モードからアウェイクしたモバイル・デバイスからの送信によって受信される。さらに、この送信は、モバイル・デバイスがスリープ・モードにある間であるか、および／または、スリープ・モードに入る前に送られうる。参照番号５０４では、アップリンク情報を送信しているモバイル・デバイスが、タイミング調節を必要とするかどうかが判定される。例示によれば、ローカル基準タイミングが、アップリンク情報を伝送する受信信号のタイミングと比較されうる。参照番号５０６では、適切なタイミング調節値が評価される。例えば、このタイミング調節値は、受信したアップリンク情報のタイミングと、ローカルなタイミングとの差分でありうる。参照番号５０８では、タイミング調節値が、モバイル・デバイスに送信される。例示となる実施形態によれば、このタイミング調節値は、順方向リンク・チャネルで送信されるタイミング調節コマンド内にカプセル化されうる。
【００４７】
図６では、タイミング更新を必要としながら節電することを容易にする方法論６００が示される。局面によれば、この方法論６００は、無線通信環境におけるモバイル・デバイスによって実行されうる。参照番号６０２では、スリープ・モードに入る。例えば、モバイル・デバイスは、スリープ・モードに入って、電力を節約し、通信システムへのアクセスを保持するために必要な最小量のシグナリングしか保たない。参照番号６０４では、スリープ・タイマが終了したかどうかが判定される。例示によれば、スリープ・モードは、予め定めた時間、保たれる。予め定めた時間が終了していなければ、モバイル・デバイスは、参照番号６０２において、スリープし続ける。参照番号６０４において、タイマが終了したと判定された場合、方法論６００は、参照番号６０６に進み、モバイル・デバイスがウェイク・アップする。実施形態によれば、モバイル・デバイスは、参照番号６０６においてアップリンク情報を送信する。参照番号６０８では、タイミング調節コマンドが受信されたかがチェックされる。受信されていない場合、方法論６００は、参照番号６０２に戻り、スリープ・モードに再び入る。参照番号６０８において、タイミング調節コマンドが受信された場合、方法論６００は、参照番号６１０に進み、タイミング調節コマンドにしたがってアップリンク・タイミングが調節される。
【００４８】
本明細書に記載の１または複数の局面によれば、前述したように、無線通信ネットワークにおいて、スリープ期間を決定することと、タイミング調節ニーズを確認することと、タイミング調節値を評価すること等に関する推論がなされうることが認識されよう。本明細書で使用されるように、「推論する」または「推論」なる文言は一般に、イベントおよび／またはデータによってキャプチャされるような観察のセットから、システム、環境、および／または、ユーザの状態を推理または推論するプロセスを称する。推論は、特定の文脈または動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００４９】
例によれば、上述した１またはすく数の方法またはシステムは、スリープ期間を決定することに関連する推論を行うことを含みうる。例えば、モバイル・デバイスがセクタ内を高速で移動し、より頻繁な調節を必要とする状況のような、過去のタイミング調節、および／または、過去のスリープ期間に関してなされた推論に基づいて、ホッピング・パターンが選択されうる。さらに、推論は、タイミング更新に対する必要性を判定すること、および／または、タイミング調節値を評価することに関連してなされうる。
【００５０】
図７は、タイミング調節値の獲得および利用を容易にするモバイル・デバイス７００の例示である。モバイル・デバイス７００は、例えば（図示しない）受信アンテナから信号を受信し、受信した信号について一般的な動作（例えば、フィルタ、増幅、ダウンコンバート等）を実行し、この調整された信号をデジタル化して、サンプルを得る受信機７０２を備える。受信機７０２は、受信したシンボルを復調し、それらを、チャネル推定のためにプロセッサ７０６へ提供する復調器７０４を備えうる。プロセッサ７０６は、受信機７０２によって受信された情報を分析すること、および／または、送信機７１６による送信のための情報を生成することに特化されたプロセッサであるか、モバイル・デバイス７００の１または複数の構成要素を制御するプロセッサであるか、および／または、受信機７０２によって受信された情報の分析と、送信機７１６による送信のための情報の生成と、モバイル・デバイス７００の１または複数の構成要素の制御との両方を行うプロセッサでありうる。
【００５１】
モバイル・デバイス７００はさらに、プロセッサ７０６に動作可能に接続されたメモリ７０８を備えうる。このメモリは、送信されるデータ、受信データ、利用可能なチャネルに関連する情報、分析された信号および／または干渉強度に関連するデータ、割り当てられたチャネル、電力、レート等に関連する情報、および、チャネル推定およびチャネルを介した通信のために適切なその他任意の情報を格納することができる。メモリ７０８はさらに、チャネルの推定および／または（例えば、パフォーマンス・ベース、容量ベース等の）利用に関連するアルゴリズムおよび／またはプロトコルを格納しうる。
【００５２】
本明細書に記載されたデータ・ストア（例えば、メモリ７０８）は、揮発性メモリまたは不揮発性メモリの何れかであるか、あるいは、揮発性メモリと不揮発性メモリとの両方を含みうることが認識されよう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。対象となるシステムおよび方法のメモリ７０８は、限定されることなく、これらおよびその他の任意の適切なタイプのメモリを備えることが意図される。
【００５３】
プロセッサ７０６はさらに、例えば前述したように、予め定めた時間が経過するまでモバイル・デバイス７００をスリープ・モードに保つスリープ・タイマ７１０に動作可能に接続されうる。例示によれば、スリープ・タイマ７１０は、予め定めた時間の経過後に終了するタイマ・メカニズムを保持しうる。局面によれば、タイマ・メカニズムは、モバイル・デバイスがスリープ・モードに入ったときに起動しうる（例えば、クロックを開始させる）。スリープ・タイマ７１０が終了すると、モバイル・デバイス７００はアウェイクし、例えば基地局からタイミング調節コマンドが発行されたかを判定する。例によれば、受信機７０２は、タイミング調節コマンドが発行されるとそれを受信するために、高速物理アクセス・チャネルを読み取ることができる。
【００５４】
モバイル・デバイス７００はさらに、信号を変調する変調器７１４と、その信号を、例えば基地局、他のモバイル・デバイス等へ送信する送信機７１６とを備える。例示によれば、送信機７１６は、モバイル・デバイス７００がスリープ・モードにある間、モバイル・デバイス７００がスリープ・モードに入る前、および／または、ウェイクすると直ちに、アップリンク情報を送ることができる。プロセッサ７０６はまた、アップリンク信号を送信する送信機７１６によって利用されるアップリンク・タイミングを、増加、減少、および／または、設定するタイミング・アジャスタ７１２に動作可能に接続されうる。例によれば、モバイル・デバイス７００は、基地局からタイミング調節コマンドを受信し、タイミング・アジャスタ７１２は、受信したタイミング調節コマンドに少なくとも部分的に基づいてアップリンク・タイミングを調節しうる。プロセッサ７０６と別に示されているが、スリープ・タイマ７１０、タイミング・アジャスタ７１２、復調器７０４、および／または、変調器７１４は、プロセッサ７０６または複数のプロセッサ（図示せず）の一部でありうることが認識されるべきである。
【００５５】
図８は、上述したようにアップリンク・チャネルのためにタイミング更新値を評価、送信、および受信することを容易にするシステム８００の例示である。このシステム８００は、複数の受信アンテナ８０６を介して１または複数のモバイル・デバイス８０４から信号を受信する受信機８１０と、送信アンテナ８０８を介して１または複数のモバイル・デバイス８０４へ信号を送信する送信機８２４とを備えた基地局８０２を備える。受信機８１０は、受信アンテナ８０６から情報を受信し、受信した情報を復調する復調器８１２と動作可能に関連付けられている。復調されたシンボルは、図７に関して上述したプロセッサと類似したプロセッサ８１４によって分析される。プロセッサ８１４はさらに、信号（例えばパイロット）強度および／または干渉強度を推定することに関連する情報と、送信されるデータまたはモバイル・デバイス８０４（または、個別の基地局（図示せず）から受信したデータと、および／または、本明細書に記載の様々な動作および機能を実行することに関連するその他任意の適切な情報を格納するメモリ８１６に接続されている。プロセッサ８１４は、モバイル・デバイス８０４がタイミング更新を必要とするかを確認するタイミング調節判定部８１８に接続されている。さらに、プロセッサ８１４は、特定された必要性にしたがって、モバイル・デバイス８０４のタイミングを更新するタイミング調節コマンドを生成するタイミング調節評価部８２０に接続されている。
【００５６】
例によれば、基地局８０２は、１または複数のモバイル・デバイス８０４から通信を受信し、この通信に基づいて、デバイス８０４のためのタイミング更新必要性を判定することができる。例えば、タイミング調節判定部８１８は、基地局８０２のローカル基準タイミングを、受信した通信に含まれるタイミングと比較することができる。その後、上述したような更新を、デバイス８０４のアップリンク・タイミングが必要とするのであれば、タイミング調節評価部８２０は、適切なタイミング調節コマンドを生成することができる。タイミング調節コマンドは、それぞれのモバイル・デバイス８０４へ送信されうる。その後、モバイル・デバイス８０４は、アップリンク・タイミングを更新するために、タイミング調節コマンドを利用することができる。さらに、プロセッサ８１４とは別に示されているが、タイミング調節判定部８１８、タイミング調節評価部８２０、復調器８１２、および／または、変調器８２２は、プロセッサ８１４または複数のプロセッサ（図示せず）の一部でありうることが認識されるべきである。
【００５７】
図９は、無線通信システム９００の一例を示す。無線通信システム９００は、簡潔さの目的で、１つの基地局９１０および１つのモバイル・デバイス９５０を示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。さらに、基地局９１０および／またはモバイル・デバイス９５０は、その間の無線通信を容易にするために、システム（図１乃至図３、図７乃至図８）、技術／構成（図４）、および／または方法（図５乃至図６）を適用しうることが認識されるべきである。
【００５８】
基地局９１０では、多くのデータ・ストリームのためのトラフィック・データが、データ・ソース９１２から送信（ＴＸ）データ・プロセッサ９１４へ提供される。一例によれば、おのおののデータ・ストリームは、それぞれのアンテナを介して送信される。ＴＸデータ・プロセッサ９１４は、トラフィック・データ・ストリームをフォーマットし、そのデータ・ストリームのために選択された特定の符合化スキームに基づいて符号化し、インタリーブして、符合化されたデータを提供する。
【００５９】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１４５０において使用されうる。おのおののデータ・ストリームに関する多重化されたパイロットおよび符合化されたデータは、そのデータ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交真副変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００６０】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。様々な実施形態において、ＴＸ  ＭＩＭＯプロセッサ９２０は、データ・ストリームのシンボル、および、そのシンボルが送信されるアンテナへ、ビームフォーミング重みを適用する。
【００６１】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６２】
モバイル・デバイス９５０では、送信された変調信号がＮＲ個のアンテナ９５２ａ乃至９５２ｒによって受信され、おのおののアンテナ９５２からの受信信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６３】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６４】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００６５】
逆方向リンク・メッセージは、通信リンクおよび／または受信されたデータ・ストリームに関する様々なタイプの情報を備えうる。逆方向リンク・メッセージは、多くのデータ・ストリームに関するトラフィック・データをデータ・ソース９３６から受信するＴＸデータ・プロセッサ９３８によって処理され、変調器９８０によって変調され、送信機９５４ａ乃至９５４ｒによって調整され、基地局９１０へ送り戻される。
【００６６】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージを抽出する。さらに、プロセッサ９３０は、ビームフォーミング重みを決定するためにどの事前符合化行列を使用するかを決定するために、この抽出されたメッセージを処理する。
【００６７】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００６８】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００６９】
これら実施形態が、ソフトウェア、ファームウェア、ミドルウェアあるいはマイクロコード、プログラム・コードあるいはコード・セグメントで実現される場合、これらは、例えば記憶要素のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡しおよび／または受信を行うことによって、他のコード・セグメントまたはハードウェア回路に接続されうる。情報、引数、パラメータ、データ等は、メモリ共有、メッセージ引渡し、トークン引渡し、ネットワーク送信等を含む任意の適切な手段を用いて引渡し、転送、あるいは送信されうる。
【００７０】
ソフトウェアで実現する場合、本明細書に記載のこれら技術は、本明細書に記載の機能を実行するモジュール（例えば、手順、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知の様々な手段によってプロセッサと通信可能に接続されうる。
【００７１】
図１０に示すように、アップリンク・タイミングを制御するためにタイミング調節を利用するシステム１０００が例示される。例えば、システム１０００は、基地局、モバイル・デバイス等内に少なくとも部分的に存在しうる。システム１０００は、プロセッサ、ソフトウェア、またはこれらの組み合わせ（例えば、ファームウェア）によって実現される機能を表す機能ブロックでありうる機能ブロックを含むものとして示されていることが認識されるべきである。システム１０００は、連携して動作しうる電子構成要素の論理グループ１００２を含む。この論理グループ１００２は、予め定めた期間の経過後、スリープ・モードからウェイクさせる電子構成要素１００４を含みうる。さらに、論理グループ１００２は、タイミング調節コマンドが発行されたかを判定する電子構成要素１００６を備えうる。さらに、この論理グループ１００２は、発行されたタイミング調節コマンドに基づいてアップリンク・タイミングを調節する電子構成要素１００８を含みうる。さらに、システム１０００は、電子構成要素１００４、１００６、１００８に関連付けられた機能を実行する命令群を保持するメモリ１０１０を含みうる。メモリ１０１０の外側にあると示されているが、電子構成要素１００４、１００６、１００８のうちの１または複数は、メモリ１０１０内に存在しうることが理解されるべきである。
【００７２】
図１１に移って示すように、無線通信ネットワークにおいてタイミング調節値を評価し送信するシステム１１００が例示される。システム１１００は、例えば、基地局、モバイル・デバイス等内に存在しうる。図示するように、システム１１００は、プロセッサ、ソフトウェア、またはこれらの組み合わせ（例えば、ファームウェア）によって実現される機能を表す機能ブロックを含む。システム１１００は、タイミング調節値を評価することを容易にする電子構成要素の論理グループ１１０２を含む。論理グループ１１０２は、ウェイクしているモバイル・デバイスからの送信を受信するための電子構成要素１１０４を含みうる。さらに、論理グループ１１０２は、ウェイクしているモバイル・デバイスがタイミング更新を必要とするかを判定する電子構成要素１１０６を含みうる。さらに、論理グループ１１０２は、ウェイクしているモバイルのためのタイミング調節値を評価する電子構成要素１１０８を備えうる。さらに、論理グループ１１０２は、ウェイクしているモバイルにタイミング調節コマンドを発行する電子構成要素１１１０を含みうる。さらに、システム１１００は、電子構成要素１１０４、１１０６、１１０８、１１１０に関連する機能を実行するための命令群を保持するメモリ１１１２を含みうる。メモリ１１１２の外側にあると示されているが、電子構成要素１１０４、１１０６、１１０８、１１１０は、メモリ１１１２内に存在しうることが理解されるべきである。
【００７３】
上述したものは、１または複数の実施形態の例を含んでいる。もちろん、上述した実施形態を説明する目的で、構成要素または方法論の考えられる全ての組み合わせを記述することは可能ではないが、当業者であれば、様々な実施形態のさらに多くの組み合わせおよび置き換えが可能であることを認識することができる。したがって、記載された実施形態は、請求項の精神および範囲内にあるそのような全ての変更、修正、および変形を含むことが意図される。さらにまた、用語「含む」が、詳細説明あるいは請求項のうちの何れかで使用されている限り、その用語は、用語「備える」が、請求項における遷移語として適用される場合に解釈されるように、用語「備える」と同様に包括的であることが意図される。
【図１】
2010522505.tif 000003
【図２】
2010522505.tif 000004
【図３】
2010522505.tif 000005
【図４】
2010522505.tif 000006
【図５】
2010522505.tif 000007
【図６】
2010522505.tif 000008
【図７】
2010522505.tif 000009
【図８】
2010522505.tif 000010
【図９】
2010522505.tif 000011
【図１０】
2010522505.tif 000012
【図１１】
2010522505.tif 000013
【国際調査報告】
2010522505.tif 000014
2010522505.tif 000015